(57)【要約】【課題】一般電話機を管理している複数のＩＰ通信基地局がＩＰ網を介して接続されているＩＰ通信システムの設備コストを抑える。【解決手段】ＩＰ通信基地局１００Ｂは、自身のＩＰアドレス、ＩＰ網に接続されている他のＩＰ通信基地局のＩＰアドレス１４４、自身及び他のＩＰ通信基地局が管理している一以上の電話機の電話番号１４２、及び、この電話番号と関連付けられている一以上の電話機に対するポート番号１４３が記憶されている呼制御情報テーブル１４１と、テーブル１４１を参照して、着呼先電話機の電話番号から、着呼先電話機を管理している他のＩＰ通信基地局のＩＰアドレスを調べる検索・更新部１２１と、検索で得られたＩＰアドレスを用いて、他のＩＰ通信基地局との通信路を確立するネットワーク側通信制御部１１０と、を備えている。【選択図】  図２
2004274169.tif 000002
【特許請求の範囲】
【請求項１】
一以上の通信端末の通信を管理し、該通信端末からの信号をパケット化し、ＩＰ網経由で、他のＩＰ通信基地局に管理されている通信端末に、パケット化した信号を送信するＩＰ通信基地局において、
自身のＩＰアドレス、前記ＩＰ網に接続されている前記他のＩＰ通信基地局のＩＰアドレス、これらのＩＰアドレスと関連付けられている自身及び該他のＩＰ通信基地局が管理している一以上の通信端末の固有番号、及び、該固有番号と関連付けられている一以上の該通信端末との間のトランスポート層のポート番号、を含む呼制御情報が記憶されているテーブルと、
自身が管理している前記一以上の通信端末のうちのいずれかの通信端末から、相手先通信端末の固有番号を受信する端末側通信制御手段と、
前記テーブルを参照して、前記相手先通信端末の固有番号から、前記他のＩＰ通信基地局のＩＰアドレスを調べるテーブル検索手段と、
前記テーブル検索手段による検索で得られた前記ＩＰアドレスを用いて、該ＩＰアドレスが設定されている前記他のＩＰ通信基地局との通信路を確立するＩＰ網側通信制御手段と、
を備えていることを特徴とするＩＰ通信基地局。
【請求項２】
請求項１に記載のＩＰ通信基地局において、
前記ＩＰ網側通信制御手段は、前記他のＩＰ通信基地局との通信路を確立した際、呼確立要求と共に、前記端末側通信制御手段が受信した前記相手先通信端末の固有番号又はポート番号を該他のＩＰ通信基地局に送信する、
ことを特徴とするＩＰ通信基地局。
【請求項３】
請求項１及び２のいずれか一項に記載のＩＰ通信基地局において、
前記端末側通信制御手段は、前記ＩＰ網を介して、前記ＩＰ網側通信制御手段が前記他のＩＰ通信基地局からポート番号を受信すると、該ポート番号に基づいて、前記一以上の通信端末のうちの該ポート番号に対応する通信端末との通信路を確立する、
ことを特徴とするＩＰ通信基地局。
【請求項４】
請求項１及び２のいずれか一項に記載のＩＰ通信基地局において、
前記テーブル検索手段は、前記ＩＰ網を介して、前記ＩＰ網側通信制御手段が前記他のＩＰ通信基地局から固有番号を受信すると、前記テーブルを参照して、自身に接続されている一以上の通信端末の電話番号と関連付けられているポート番号を調べ、
前記端末側通信制御手段は、前記テーブル検索手段が検索した前記ポート番号に基づいて、前記一以上の通信端末のうちの該ポート番号に対応する通信端末との通信路を確立する、
ことを特徴とするＩＰ通信基地局。
【請求項５】
一以上の通信端末を管理している複数のＩＰ通信基地局が接続されているＩＰ網に、接続されている呼制御情報保持装置であって、
前記ＩＰ網を介して、前記複数のＩＰ通信基地局との間の通信路を確立して、該複数のＩＰ通信基地局との間でデータの送受信を行う通信制御手段と、
前記ＩＰ網に接続されている前記複数のＩＰ通信基地局のＩＰアドレス、該複数のＩＰ通信基地局が管理している一以上の通信端末の固有番号、及び、該固有番号と関連付けられている一以上の該通信端末との間のトランスポート層のポート番号、を含む呼制御情報が記憶されているテーブルと、
前記複数のＩＰ通信基地局のうちのいずれか一のＩＰ通信基地局から、該一のＩＰ通信基地局が管理している呼制御情報として、該一のＩＰ通信基地局のＩＰアドレス、該一のＩＰ通信基地局が管理している前記一以上の通信端末の固有番号、及び該固有番号と関連付けられている一以上の該通信端末との間のトランスポート層のポート番号を、前記通信制御手段が受信すると、該一のＩＰ通信基地局からの前記呼制御情報を用いて、前記テーブルに記憶されている呼制御情報の内容を更新するテーブル更新手段と、
を備え、
前記通信制御手段は、前記テーブルに記憶されている呼制御情報の内容が更新されると、該テーブルに記憶されている前記複数のＩＰ通信基地局の前記ＩＰアドレスを用いて、該ＩＰ通信基地局との通信路を確立し、該ＩＰ通信基地局に、更新された呼制御情報を送信する、
ことを特徴とする呼制御情報保持装置。
【請求項６】
請求項１から４のいずれか一項に記載のＩＰ通信基地局と、
請求項５に記載の呼制御情報保持装置と、
を備え、
前記ＩＰ通信基地局は、自身が所有している前記テーブルに記憶されている前記呼制御情報の一部又は全部の変更を受け付けて、該テーブルの記憶内容を変更する呼制御情報受付手段を備えていると共に、前記呼制御情報保持装置のＩＰアドレスを保持しており、前記ＩＰ網側通信制御手段は、予め定められている条件を満たすと、該呼制御情報保持装置のＩＰアドレスを用いて、該呼制御情報保持装置との通信路を確立し、前記テーブルに記憶されて呼制御情報を該呼制御情報保持装置へ送信する、
ことを特徴とするＩＰ通信システム。
【請求項７】
請求項６に記載のＩＰ通信システムにおいて、
前記予め定められている条件は、前記呼制御情報受付手段が前記テーブルの記憶内容を変更したこと、又は電源が投入されて起動したことである、
ことを特徴とするＩＰ通信システム。
【発明の詳細な説明】
【０００１】
【発明の属する技術分野】
本発明は、ＩＰ（Ｉｎｔｅｒｎｅｔ  ｐｒｏｔｏｃｏｌ）網に接続されており、一以上の通信端末を管理しているＩＰ通信基地局、このＩＰ網に接続されている呼制御情報保持装置、及びこれらを備えているＩＰ通信システムに関する。
【０００２】
【従来の技術】
従来のＩＰ通信システムとしては、例えば、以下の特許文献１に記載されているものがある。
【０００３】
このＩＰ通信システムは、複数の通常電話機が接続されている基地局と、この基地局とＩＰ網で接続されている呼制御装置と、このＩＰ網に接続されているＩＰ電話機と、を備えているものである。このＩＰ通信システムでは、基地局、ＩＰ電話機に、それぞれ、一つのＩＰアドレスが割り付けられ、これらのＩＰアドレスと電話番号とが関連付けられて、呼制御装置内に記憶されている。例えば、ＩＰ電話機から通常電話機に電話する場合、ＩＰ電話機に相手先の電話番号を入力すると、呼制御装置がこの電話番号から通常電話機が接続されている基地局との回線を確立し、基地局がさらに通常電話機との回線を確立している。すなわち、呼制御装置がＩＰ網を介して接続されている装置相互の呼を確立している。
【０００４】
また、特許文献２には、ＩＰ通信システムとして、１台の基地局としてのコンピュータで、複数の通常電話機を制御する技術が開示されている。このＩＰ通信システムは、ＩＰ網にＩＰ電話機と基地局としてのコンピュータとが接続されている。通常電話機と相手先のＩＰ電話機との間の回線を確立する際、コンピュータは、通常電話機との間の通信路に対して定めたポート番号を相手側に通知し、相手側ＩＰ電話機は、コンピュータのＩＰアドレスと受信したポート番号に基づいて、通常電話機との間の回線を確保している。
【０００５】
【特許文献１】
特開２００２−３３５３２７号
【特許文献２】
特開２００１−１４４８０５号
【０００６】
【発明が解決しようとする課題】
しかしながら、特許文献１に記載の技術では、ＩＰ網を介して、通常電話機が他の通信端末との回線を確立するためには、基地局の他に呼制御装置を別途設ける必要があり、設備コストが嵩むという問題点がある。
【０００７】
また、特許文献２の技術でも、ある基地局に接続されている通常電話機から、他の基地局に接続されている通常電話機を呼び出す場合、前記ある基地局は、相手先の電話番号だけでは、どの基地局に接続されている電話機であるのかを知るすべがないため、電話番号とＩＰアドレス等を管理する呼制御装置を別途設ける必要があり、結局、特許文献１に記載の技術と同様、設備コストが嵩むという問題点がある。
【０００８】
本発明は、このような従来の問題点に着目し、設備コストを抑えることができるＩＰ通信基地局、このＩＰ網に接続されている呼制御情報保持装置、及びこれらを備えているＩＰ通信システムを提供することを目的とする。
【０００９】
【課題を解決するための手段】
前記目的を達成するためのＩＰ通信基地局は、
自身のＩＰアドレス、ＩＰ網に接続されている他のＩＰ通信基地局のＩＰアドレス、これらのＩＰアドレスと関連付けられている自身及び該他のＩＰ通信基地局が管理している一以上の通信端末の固有番号、及び、該固有番号と関連付けられている一以上の該通信端末との間のトランスポート層のポート番号、を含む呼制御情報が記憶されているテーブルと、
自身が管理している前記一以上の通信端末のうちのいずれかの通信端末から、相手先通信端末の固有番号を受信する端末側通信制御手段と、
前記テーブルを参照して、前記相手先通信端末の固有番号から、前記他のＩＰ通信基地局のＩＰアドレスを調べるテーブル検索手段と、
前記テーブル検索手段による検索で得られた前記ＩＰアドレスを用いて、該ＩＰアドレスが設定されている前記他のＩＰ通信基地局との通信路を確立するＩＰ網側通信制御手段と、
を備えていることを特徴とするものである。
【００１０】
ここで、前記ＩＰ網側通信制御手段は、前記他のＩＰ通信基地局との通信路を確立した際、呼確立要求と共に、前記端末側通信制御手段が受信した前記相手先通信端末の固有番号又はポート番号を該他のＩＰ通信基地局に送信する、とよい。
【００１１】
また、以上のＩＰ通信基地局において、
前記端末側通信制御手段は、前記ＩＰ網を介して、前記ＩＰ網側通信制御手段が前記他のＩＰ通信基地局からポート番号を受信すると、該ポート番号に基づいて、前記一以上の通信端末のうちの該ポート番号に対応する通信端末との通信路を確立してもよいし、
又は、前記ＩＰ通信基地局において、
前記テーブル検索手段は、前記ＩＰ網を介して、前記ＩＰ網側通信制御手段が前記他のＩＰ通信基地局から固有番号を受信すると、前記テーブルを参照して、自身に接続されている一以上の通信端末の電話番号と関連付けられているポート番号を調べ、
前記端末側通信制御手段は、前記テーブル検索手段が検索した前記ポート番号に基づいて、前記一以上の通信端末のうちの該ポート番号に対応する通信端末との通信路を確立してもよい。
【００１２】
また、前記目的を達成するための呼制御情報保持装置は、
ＩＰ網を介して、複数のＩＰ通信基地局との間の通信路を確立して、該複数のＩＰ通信基地局との間でデータの送受信を行う通信制御手段と、
前記ＩＰ網に接続されている前記複数のＩＰ通信基地局のＩＰアドレス、該複数のＩＰ通信基地局が管理している一以上の通信端末の固有番号、及び、該固有番号と関連付けられている一以上の該通信端末との間のトランスポート層のポート番号、を含む呼制御情報が記憶されているテーブルと、
前記複数のＩＰ通信基地局のうちのいずれか一のＩＰ通信基地局から、該一のＩＰ通信基地局が管理している呼制御情報として、該一のＩＰ通信基地局のＩＰアドレス、該一のＩＰ通信基地局が管理している前記一以上の通信端末の固有番号、及び該固有番号と関連付けられている一以上の該通信端末との間のトランスポート層のポート番号を、前記通信制御手段が受信すると、該一のＩＰ通信基地局からの前記呼制御情報を用いて、前記テーブルに記憶されている呼制御情報の内容を更新するテーブル更新手段と、
を備え、
前記通信制御手段は、前記テーブルに記憶されている呼制御情報の内容が更新されると、該テーブルに記憶されている前記複数のＩＰ通信基地局の前記ＩＰアドレスを用いて、該ＩＰ通信基地局との通信路を確立し、該ＩＰ通信基地局に、更新された呼制御情報を送信する、
ことを特徴とするものである。
【００１３】
また、前記目的を達成するためのＩＰ通信システムは、
以上のいずれかのＩＰ通信基地局と、前記呼制御情報保持装置とを備え、
前記ＩＰ通信基地局は、自身が所有している前記テーブルに記憶されている前記呼制御情報の一部又は全部の変更を受け付けて、該テーブルの記憶内容を変更する呼制御情報受付手段を備えていると共に、前記呼制御情報保持装置のＩＰアドレスを保持しており、前記ＩＰ網側通信制御手段は、予め定められている条件を満たすと、該呼制御情報保持装置のＩＰアドレスを用いて、該呼制御情報保持装置との通信路を確立し、前記テーブルに記憶されて呼制御情報を該呼制御情報保持装置へ送信する、ことを特徴とするものである。
【００１４】
ここで、前記予め定められている条件は、前記呼制御情報受付手段が前記テーブルの記憶内容を変更したことであっても、又は電源が投入されて起動したことであってもよい。
【００１５】
【発明の実施の形態】
以下、本発明に係るＩＰ通信システムの一実施形態について、図面を用いて説明する。
【００１６】
本実施形態のＩＰ通信システムは、図１に示すように、複数の無線電話機１６０，１６０，…の通信を管理する無線用ＩＰ通信基地局１００Ａと、複数の有線電話機１７０，１７０，…の通信を管理する有線用ＩＰ通信基地局１００Ｂと、ＩＰ網１を介して各基地局１００Ａ，１００Ｂと接続されている呼制御情報保持装置２００と、を備えている。
【００１７】
有線用ＩＰ通信基地局１００Ｂは、図２に示すように、ネットワーク側通信制御部１１０と、有線電話通信制御部１３０Ｂと、両制御部１１０，１３０Ｂを制御する基地局主制御部１２０と、呼制御情報等の各種情報が記憶されている基地局ファイル１４０と、を備えている。また、無線用ＩＰ通信基地局１００Ａも、有線用ＩＰ通信基地局１００Ｂと同様に、ネットワーク側通信制御部１１０と、無線電話通信制御部１３０Ａと、両制御部１１０，１３０Ａを制御する基地局主制御部１２０と、呼制御情報等の各種情報が記憶されている基地局ファイル１４０と、を備えている。すなわち、無線用ＩＰ通信基地局１００Ａと有線用ＩＰ通信基地局１００Ｂとは、電話通信制御部１３０Ａ，１３０Ｂが無線電話機用であるか有線線電話機用であるかの違いのみである。
【００１８】
ネットワーク側通信制御部１１０は、ネットワークインタフェース１１０と、ネットワーク側からのパケットを分解し、電話機側からの信号をパケット化するパケット変換部１１２と、を有している。基地局主制御部１２０は、基地局ファイル１４０内のデータを検索及び更新する検索・更新部１２１と、ネットワーク側通信制御部１１０を制御するＮＣ制御部１２２と、電話通信制御部１３０Ａを制御するＴＣ制御部１２３と、を有している。
【００１９】
基地局ファイル１４０には、ＩＰ網１に接続されている各基地局１００Ａ，１００Ｂや各基地局１００Ａ，１００Ｂに管理されている電話機１６０，１７０に関する呼制御情報が記憶されている呼制御情報テーブル１４１と、呼制御情報保持装置２００のＩＰアドレスが記憶されている保持装置ＩＰアドレス記憶部１４９と、を有している。なお、ここでは、保持装置ＩＰアドレス記憶部１４９と呼制御情報テーブル１４１とを分けているが、呼制御情報テーブル１４１中に、呼制御情報保持装置２００のＩＰアドレスを記憶するようにしてもよい。
【００２０】
呼制御情報テーブル１４１には、図４に示すように、各基地局１００Ａ，１００Ｂが管理している全ての電話機１６０，１７０の電話番号１４２と、各基地局１００Ａ，１００Ｂとこれらが管理している各電話機１６０，１７０との間の通信路を定めるためのポート番号１４３と、各電話機１６０，１７０を管理している各基地局１００Ａ，１００ＢのＩＰアドレス１４４とが予め記憶されている。
【００２１】
具体的には、無線用ＩＰ通信基地局１００Ａが管理している無線電話機Ａ，Ｂ，Ｃに対する電話番号１４２として、それぞれ、電話番号２０００，２００１，２００２が設定され、無線電話機Ａ，Ｂ，Ｃに対する無線用ＩＰ通信基地局１００Ａのポート番号１４３として、５０００，５００２，５００４が設定されている。また、この無線用ＩＰ通信基地局１００ＡのＩＰアドレス１４４として、２１３．２０１．１０１．２が設定されている。
【００２２】
また、有線用ＩＰ通信基地局１００Ｂが管理している有線電話機Ａ，Ｂ，Ｃに対する電話番号１４２として、それぞれ、電話番号２００３，２００４，２００５が設定され、有線電話機Ａ，Ｂ，Ｃに対する有線用ＩＰ通信基地局１００Ｂのポート番号１４３として、５０００，５００２，５００４が設定されている。また、この無線用ＩＰ通信基地局１００ＡのＩＰアドレス１４４として、２１３．２０１．１０１．３が設定されている。
【００２３】
また、この呼制御情報テーブル１４１には、宛先ポート番号１４５及び宛先ＩＰアドレス１４６を書き込む欄も設けられている。この欄１４５，１４６には、実際に相手先を呼び出す際に、発信元と対応する位置に着信先の宛先ポート番号１４５及び宛先ＩＰアドレス１４６が書き込まれる。同図の例は、電話番号２０００の電話機から、電話番号２００４の電話機を呼び出す際の例である。この例では、発信元である電話番号２０００と対応する位置に、着信元の宛先ポート番号及び宛先ＩＰアドレスが書き込まれている。
【００２４】
呼制御情報保持装置２００は、図３に示すように、ネットワーク側通信制御部１１０と、このネットワーク側通信制御部１１０を制御する主制御部１２０ａと、呼制御情報等の各種情報が記憶されている保持装置ファイル１４０ａと、を備えている。ネットワーク側通信制御部１１０は、ネットワークインタフェース１１０と、ネットワーク側からのパケットを分解し、主制御部１２０ａからのメッセージ等号をパケット化するパケット変換部１１２と、を有している。主制御部１２０ａは、保持装置ファイル１４０ａ内のデータを検索及び更新する検索・更新部１２１と、ネットワーク側通信制御部１１０を制御するＮＣ制御部１２２と、を有している。
【００２５】
保持装置ファイル１４０ａには、呼制御情報テーブル１４１ａが記憶されている。この呼制御情報テーブル１４１ａには、各基地局１００Ａ，１００Ｂの呼制御情報テーブル１４１と同様に、電話機１６０，１７０の電話番号１４２と、これら電話機１６０，１７０に対する各基地局１００Ａ，１００Ｂのポート番号１４３と、各電話機１６０，１７０を管理している各基地局１００Ａ，１００ＢのＩＰアドレス１４４とが記憶されている。なお、この呼制御情報保持装置２００は、あくまでも、呼制御情報を管理するものであり、呼制御を行わないので、この呼制御情報保持装置２００の呼制御情報テーブル１４０ａには、各基地局１００Ａ，１００Ｂの呼制御情報テーブル１４１のように、宛先ポート番号１４５及び宛先ＩＰアドレス１４６の欄が設けられていない。
【００２６】
次に、以上で説明したＩＰ通信システムにおける呼確立動作について、図６を用いて説明する。なお、以下では、呼確立動作を理解し易くするために、無線用ＩＰ通信基地局１００Ａに管理されている無線電話機Ａ（以下、ここでの説明では発呼元１６０とする）が、有線用ＩＰ通信基地局１００Ｂに管理されている有線電話機Ｂ（以下、ここでの説明では着呼先１７０とする）を呼び出す際の動作例について説明する。
【００２７】
無線用ＩＰ通信基地局１００Ａに管理されている発呼元１６０が、オフフックし、着呼先１７０の電話番号２００４を入力すると（ステップ６００）、呼確立要求と共にこの電話番号２００４が発呼元の無線用ＩＰ通信基地局１００Ａに送信される（ステップ６０１）。無線用ＩＰ通信基地局１００Ａの電話通信制御部１３０Ａがこれを受信すると、基地局主制御部１２０の検索・更新部１２１が、呼制御情報テーブル１４１から着呼先１７０の電話番号２００４で検索して、この電話番号２００４に対するポート番号及びＩＰアドレスを抽出する（ステップ６０２）。続いて、検索・更新部１２１は、図４に示すように、呼制御情報テーブル１４１の宛先ポート番号１４５及び宛先ＩＰアドレス１４６の欄であって、発呼元１６０の電話番号２０００と対応する位置に、抽出した着呼先１７０のポート番号５００２及びＩＰアドレス２１３．２０１．１０１．３を書き込む（ステップ６０３）。
【００２８】
基地局主制御部１２０のＮＣ制御部１２２は、有線用ＩＰ通信基地局１００Ｂに対する呼確立要求のメッセージと共に、発呼元１６０の電話番号、着呼先１７０のＩＰアドレス及びポート番号を、ネットワーク側通信制御部１１０に渡す。ネットワーク側通信制御部１１０は、これら呼確立要求のメッセージ、発呼元１６０の電話番号２０００、着呼先１７０のＩＰアドレス２１３．２０１．１０１．３及びポート番号５００２をパケット化して、ＩＰ網１を介して、有線用ＩＰ通信基地局１００Ｂに送る（ステップ６０４）。
【００２９】
着呼先の有線用ＩＰ通信基地局１００Ｂのネットワーク側通信制御部１１０は、発呼元の無線用ＩＰ通信基地局１００Ａから送られてきたパケットを分解して、これを基地局主制御部１２０に渡す。基地局主制御部１２０は、着呼先１７０のポート番号５００２を電話通信制御部１３０Ｂに渡す。電話通信制御部１３０Ｂは、複数のポートのうちのポート番号５００２のポートのソケットをオープンして、つまり、着呼先１７０との通信路を確保して、着呼先１７０を呼び出す（ステップ６０５）。
【００３０】
検索・更新部１２１は、この呼び出しと並行して、又は前後して、呼制御情報テーブル１４１から発呼元１６０の電話番号２０００で検索して、この電話番号２０００に対するポート番号及びＩＰアドレスを抽出する（ステップ６０６）。続いて、検索・更新部１２１は、呼制御情報テーブル１４１の宛先ポート番号１４５及び宛先ＩＰアドレス１４６の欄であって、着呼先１７０のポート番号５００２と対応する位置に、抽出した発呼元１６０のポート番号５０００及びＩＰアドレス２１３．２０１．１０１．２を書き込む（ステップ６０７）。
【００３１】
そして、着呼先１７０がオフフックすると（ステップ６０８）、発呼元１６０と着呼先１７０との通信路が確立する。
【００３２】
その後、発呼元１６０からの音声信号は、発呼元の無線用ＩＰ通信基地局１００Ａでパケット化されて、有線用ＩＰ通信基地局１００Ｂへ送られる（ステップ６０９）。具体的に、発呼元の無線通信基地局１００Ａでは、呼制御情報テーブル１４１の宛先ポート番号１４５及び宛先ＩＰアドレス１４６に書き込まれている着呼先１７０のポート番号及びＩＰアドレスをパケットのヘッダ部分に組み込み、音声信号をパケットのペイロード部分に組み込んで、これを着呼先の有線用ＩＰ通信基地局１００Ｂに送る。着呼先の有線用ＩＰ通信基地局１００Ｂでは、このパケットを受信すると、このパケットを分解して、パケットのヘッダ部分に組み込まれていた着呼先１７０のポート番号の電話機に、言い換えると、複数のポートのうちの既にソケットがオープンしているポート番号５００２のポートに、パケットのペイロード部分に組み込まれていた音声信号を送る。
【００３３】
一方、着呼先１７０からの音声信号も、以上と同様に、着呼先の有線用ＩＰ通信基地局１００Ｂでパケット化されて、発呼元の無線用ＩＰ通信基地局１００Ａで分解された後、発呼元１６０に送られる（ステップ６１０）。これによって、ＩＰ網１を介して音声通信が行われる。
【００３４】
ところで、以上では、発呼元の無線用ＩＰ通信基地局１００Ａから着呼先の有線用ＩＰ通信基地局１００Ｂへ、呼確立要求を送信する際（ステップ６０４）、呼確立要求のメッセージと共に着呼先１７０のポート番号を送信しているが、このポート番号の換わりに、着呼先１７０の電話番号を送信し、着呼先の有線用ＩＰ通信基地局１００Ｂで、この着呼先１７０の電話番号に基づいて着呼先１７０のポート番号を検索させるようにしてもよい。
【００３５】
次に、本実施形態のＩＰ通信システムにおける呼切断動作について、図７を用いて説明する。なお、以下でも、呼切断動作を理解し易くするために、無線用ＩＰ通信基地局１００Ａに管理されている無線電話機Ａ（以下、ここでの説明では発呼元１６０とする）が、有線用ＩＰ通信基地局１００Ｂに管理されている有線電話機Ｂ（以下、ここでの説明では着呼先１７０とする）との呼を切断する際の動作例について説明する。
【００３６】
発呼元１６０がオンフックすると（ステップ７００）、この発呼元１６０から無線用ＩＰ通信基地局１００Ａに切断要求が送られる（ステップ７０１）。発呼元１６０と無線用ＩＰ通信基地局１００Ａとの通信路は、この段階で切断される。無線用ＩＰ通信基地局１００ＡのＮＣ制御部１２２は、有線用ＩＰ通信基地局１００Ｂに対する切断要求のメッセージと共に、発呼元１６０の電話番号、着呼先１７０のＩＰアドレス及びポート番号を、ネットワーク側通信制御部１１０に渡す。ネットワーク側通信制御部１１０は、これら切断要求のメッセージ、発呼元１６０の電話番号２０００、着呼先１７０のＩＰアドレス２１３．２０１．１０１．３及びポート番号５００２をパケット化して、ＩＰ網１を介して、着呼先の有線用ＩＰ通信基地局１００Ｂに送る（ステップ７０２）。
【００３７】
着呼先の有線用ＩＰ通信基地局１００Ｂが切断要求を受け取ると、この有線用ＩＰ通信基地局１００Ｂの基地局主制御部１２０は、切断要求と共に送られてきたポート番号を電話通信制御部１３０Ｂに渡す。電話通信制御部１３０Ｂは、複数のポートのうちのポート番号５００２のポートのソケットを閉じて、着呼先の有線用ＩＰ通信基地局１００Ｂとポート番号５００２の着呼先１７０との通信路が断たれる（ステップ７０３）。
【００３８】
通信路が断たれた着呼先１７０は、オンフックされるまで、ハンドセットから切断音を発する（ステップ７０４）。以上で、発呼元１６０と着呼先１７０との通話路が完全に断たれる。
【００３９】
発呼元の無線用ＩＰ通信基地局１００Ａは、着呼先の有線用ＩＰ通信基地局１００Ｂに呼切断要求を送った後（ステップ７０２）、この無線用ＩＰ通信基地局１００Ａの検索・更新部１２１が、呼制御情報テーブル１４１の宛先ポート番号１４５及び宛先ＩＰアドレス１４６の欄であって、発呼元１６０の電話番号２０００と対応する位置に書き込まれている宛先ポート番号５００２及び宛先ＩＰアドレス２１３．２０１．１０１．３を消去する（ステップ７０５）。
【００４０】
また、着呼元の有線用ＩＰ通信基地局１００Ｂは、発呼元の無線用ＩＰ通信基地局１００Ａから呼切断要求を受け取った後（ステップ７０２）、この有線用ＩＰ通信基地局１００Ｂの検索・更新部１２１が、呼制御情報テーブル１４１の宛先ポート番号１４５及び宛先ＩＰアドレス１４６の欄であって、着呼先１７０の電話番号２００４と対応する位置に書き込まれている宛先ポート番号５０００及び宛先ＩＰアドレス２１３．２０１．１０１．２を消去する（ステップ７０６）。
【００４１】
以上のように、本実施形態では、各ＩＰ通信基地局１００Ａ，１００Ｂが呼制御情報を保持しているので、別途、呼制御装置を設けなくても、各ＩＰ通信基地局１００Ａ，１００Ｂ自身で呼制御を行うことができる。従って、ＩＰ通信システムの設備コストを抑えることができる。なお、本実施形態では、呼制御情報保持装置２００を別途設けているが、この呼制御情報保持装置２００は、あくまでも、各基地局１００Ａ，１００Ｂの呼制御情報のバックアップのため、さらに、後述するように、電話番号の変更や電話機の追加等における手間を最小限に抑えるために、呼制御情報を管理するものであり、呼制御自体を行わないので、呼制御装置よりもコストを抑えることができることは言うまでもない。
【００４２】
次に、本実施形態のＩＰ通信システムにおける呼制御情報更新動作について、図８を用いて説明する。
【００４３】
仮に、ある電話機１７０の電話番号を変更するとする。この場合には、電話機１７０のハンドセットをオフフックした後、予め定められている電話番号変更操作をして、ＩＰ通信基地局１００Ｂに、現在の電話番号と変更後の電話番号を通知する（ステップ８００，８０１）。
【００４４】
ＩＰ通信基地局１００Ｂの検索・更新部１２１は、現在の電話番号と変更後の電話番号を受け取ると、呼制御情報テーブル１４１の現在の電話番号を変更後の電話番号に変更する（ステップ８０２）。なお、ここでは、電話機１７０からＩＰ通信基地局１００Ｂの検索・更新部１２１に変更後の電話番号を通知したが、例えば、外部コンピュータをＩＰ通信基地局１００Ｂに接続し、又は外部コンピュータをＩＰ網１に接続し、この外部コンピュータから検索・更新部１２１にアクセスして、変更後の電話番号や新たな追加の電話番号等を通知するようにしてもよい。
【００４５】
検索・更新部１２１が呼制御情報テーブル１４１の電話番号等を変更すると、この呼制御情報テーブル１４１に記憶されている呼制御情報をＮＣ制御部１２２に渡す。ＮＣ制御部１２２は、この呼制御情報と共に、当該ＩＰ通信基地局１００Ｂ及び呼制御情報保持装置２００のＩＰアドレスをネットワーク側通信制御部１１０に渡す。ネットワーク側通信制御部１１０は、ＮＣ制御部１２２から渡されたデータをパケット化して、呼制御情報保持装置２００に送信する（ステップ８０３）。
【００４６】
呼制御情報保持装置２００のネットワーク側通信制御部１１０は、送られてきたパケットを分解して、ＮＣ制御部１２２を介して、検索・更新部１２１に呼制御情報を渡し、呼制御情報テーブル１４１ａの記憶内容を更新させる（ステップ８０４）。
【００４７】
呼制御情報保持装置２００の検索・更新部１２１は、呼制御情報テーブル１４１ａの記憶内容を更新すると、この呼制御情報テーブル１４１ａに記憶されている更新後の呼制御情報をＮＣ制御部１２２に渡す。ＮＣ制御部１２２は、呼制御情報更新要求のメッセージと共に、この呼制御情報をネットワーク側通信制御部１１０に渡す。ネットワーク側通信制御部１１０は、ＮＣ制御部１２２から渡された呼制御情報及び更新要求メッセージをパケット化して、これを全てのＩＰ通信基地局１００Ａ，１００Ｂへ送信する（ステップ８０５）。
【００４８】
各ＩＰ通信基地局１００Ａ，１００Ｂは、更新要求メッセージと共に呼制御情報を受け取ると、各ＩＰ通信基地局１００Ａ，１００Ｂの検索・更新部１２１が呼制御情報テーブル１４１の記憶内容を全て、呼制御情報保持装置２００から送られてきた呼制御情報に更新する（ステップ８０６）。
【００４９】
以上のように、複数のＩＰ通信基地局１００Ａ，１００Ｂのうち、いずれか一つのＩＰ通信基地局の呼制御情報が変更又は追加されると、呼制御情報保持装置２００により、全てのＩＰ通信基地局１００Ａ，１００Ｂの呼制御情報が自動的に新しい呼制御情報に更新されるので、呼制御情報の更新の手間を最小限に抑えることができる。
【００５０】
なお、以上の実施形態では、あるＩＰ通信基地局が呼制御情報の変更を受け取り、呼制御情報テーブル１４１の記憶内容を変更後の呼制御情報に更新すると、自動的に、この内容が呼制御情報保持装置２００に送られるようにしているが、変更後の呼制御情報の呼制御情報保持装置２００への送信契機は、当該ＩＰ通信基地局の電源オンであっても、また、予め定められた呼制御情報送信期間の経過であってもよい。
【００５１】
【発明の効果】
本発明によれば、ＩＰ通信基地局が呼制御情報を保持しているので、別途、呼制御装置を設けなくても、ＩＰ通信基地局自身で呼制御を行うことができる。従って、呼制御装置が不要になり、ＩＰ通信システムの設備コストを抑えることができる。
【００５２】
また、呼制御保持装置を設けたものでは、複数のＩＰ通信基地局のうち、いずれか一つのＩＰ通信基地局の呼制御情報が変更又は追加されると、呼制御情報保持装置により、すべてのＩＰ通信基地局の呼制御情報が自動的に新しい呼制御情報に更新されるので、呼制御情報の更新の手間を最小限に抑えることができる。なお、呼制御情報保持装置を別途設けたとしても、この呼制御情報保持装置は、あくまでも、各ＩＰ通信基地局の呼制御情報のバックアップのため、さらに、前述したように、電話番号の変更や電話機の追加等における手間を最小限に抑えるために、呼制御情報を管理するものであり、呼制御自体を行わないので、呼制御装置よりもコストを抑えることができることは言うまでもない。
【図面の簡単な説明】
【図１】本発明に係る一実施形態におけるＩＰ通信システムの系統図である。
【図２】本発明に係る一実施形態におけるＩＰ通信基地局の機能ブロック図である。
【図３】本発明に係る一実施形態における呼制御情報保持装置の機能ブロック図である。
【図４】本発明に係る一実施形態におけるＩＰ通信基地局の呼制御情報テーブルの構成を示す説明図である。
【図５】本発明に係る一実施形態における呼制御情報保持装置の呼制御情報テーブルの構成を示す説明図である。
【図６】本発明に係る一実施形態におけるＩＰ通信システムの呼確立動作を示すシーケンス図である。
【図７】本発明に係る一実施形態におけるＩＰ通信システムの呼切断動作を示すシーケンス図である。
【図８】本発明に係る一実施形態におけるＩＰ通信システムの呼制御情報更新動作を示すシーケンス図である。
【符号の説明】
１…ＩＰ網、１００Ａ，１００Ｂ…ＩＰ通信基地局、１１０…ネットワーク側通信制御部、１１１…ネットワークインタフェース、１１２…パケット変換部、１２０…基地局主制御部、１２０ａ…主制御部、１２１…検索・更新部、１２２…ＮＣ制御部、１２３…ＴＣ制御部、１３０Ａ，１３０Ｂ…電話通信制御部、１４１，１４１ａ…呼制御情報テーブル、１６０，１７０…電話機、２００…呼制御情報保持装置。
【図１】
2004274169.tif 000003
【図２】
2004274169.tif 000004
【図３】
2004274169.tif 000005
【図４】
2004274169.tif 000006
【図５】
2004274169.tif 000007
【図６】
2004274169.tif 000008
【図７】
2004274169.tif 000009
【図８】
2004274169.tif 000010